(57)【要約】【課題】水密用として施工するコーキング材を剥がすことなく、除塵用の網が着脱できて容易に掃除ができる換気用ベントキャップを提供することを目的とする。【解決手段】室内側と室外側を連通するダクト４内に嵌挿される本体筒部５の室外側端部６から室外側に突出させた円筒状のカラー部７の内側に設けられ、本体筒部５の室外側開口部８に連通する開口部９を有したベース１０と、ベース１０に支持部材１１を介して室外３に設けられる遮蔽部１２と、前記支持部材１１とをユニット化して遮蔽ユニット１４を構成し、遮蔽ユニット１４をカラー部７に着脱自在に設け、かつ、ベース１０に網１５が着脱自在に設けられたことにより、コーキング材２１を剥がさないで、本体筒部５から網１５を外して容易に清掃することができることとなる。【選択図】図１
2009264624.tif 000002
【特許請求の範囲】
【請求項１】
建物の外壁内に設けられて室内側と室外側を連通するダクト内に嵌挿される本体筒部と、前記本体筒部の室外側端部から室外側に突出させてなる円筒状のカラー部と、前記カラー部の内側に設けられ、前記本体筒部の室外側開口部に連通する開口を有したベースと、前記ベースに支持部材を介して室外に設けられる遮蔽部とを備えた換気用ベントキャップであって、前記ベースと前記支持部材と前記遮蔽部とをユニット化して遮蔽ユニットを構成し、前記遮蔽ユニットを前記カラー部に着脱自在に設け、かつ、前記ベースに網が着脱自在に設けられたことを特徴とする換気用ベントキャップ。
【請求項２】
本体筒部に壁固定用の穴を設けた請求項１記載の換気用ベントキャップ。
【請求項３】
壁固定用の穴を半抜き穴とした請求項２記載の換気用ベントキャップ。
【請求項４】
カラー部に、その室外側端部に開口し内部で曲折した略Ｌ字状の係合溝を設け、ベースの外周部に、前記係合溝に係合して挿脱自在な係合突起を設けた請求項１〜３のいずれかに記載の換気用ベントキャップ。
【請求項５】
カラー部の内周部に雌ねじが加工され、ベースの外周部に前記カラー部の雌ねじに螺合する雄ねじが加工された請求項１〜３のいずれかに記載の換気用ベントキャップ。
【請求項６】
カラー部に角穴を設け、ベースの外周部に弾性体からなり、前記角穴に係合する板爪が設けられた請求項１〜３のいずれかに記載の換気用ベントキャップ。
【請求項７】
ベースの室内側裏面に回動自在な挟み板を設け、前記挟み板と前記ベースの室内側裏面との間に網を着脱自在に挟持する構成とした請求項１〜６のいずれかに記載の換気用ベントキャップ。
【請求項８】
ベースに室内側に切り起こした上下一対の切り起し部を設け、前記切り起し部と前記ベースの室内側裏面との間に網を着脱自在に挟持する構成とした請求項１〜６のいずれかに記載の換気用ベントキャップ。
【請求項９】
ベースの室内側裏面にリング状の凹部を設け、ゴム製のモールを、樹脂製の網の外周部を挟み込むようにして前記凹部に嵌めこみ、前記網を前記ベースに着脱自在に固定する構成とした請求項１〜６のいずれかに記載の換気用ベントキャップ。
【請求項１０】
ベースの室内側裏面にリング状の凹部を設けるとともに、樹脂製でリング状の固定具を有し、前記固定具は、その室内側端部に鍔部を備えた網固定用蓋を有し、樹脂製の網の外周部を挟み込んで押さえるようにして前記凹部に嵌めこみ、前記網を前記ベースに着脱自在に固定する構成とした請求項１〜６のいずれかに記載の換気用ベントキャップ。
【発明の詳細な説明】
【技術分野】
【０００１】
本発明は、住宅等の室内空気を室外に換気するときに、建物の外壁部分に設置される換気用ベントキャップに関する。
【背景技術】
【０００２】
従来、この種の換気用ベントキャップとして、室外側に風雨の吹き込みを防止する遮蔽板を設けた換気用ベントキャップが知られている（例えば、特許文献１参照）。
【０００３】
以下、その換気用ベントキャップについて図１７および図１８を参照しながら説明する。
【０００４】
図に示すように、建物の壁１０１に設けられた通風口１１３に挿着され、室内１０２と室外１０３を連通する開口を有するダクト接続部１０４と、このダクト接続部１０４の室外１０３側に取り付けられる取付部１０５にダクト接続部１０４の開口に連通する開口を有し、この取付部１０５の開口の周辺に複数の支脚１０６を設けた本体１０７と、この本体１０７の支脚１０６に取り付けられた風雨侵入防止の防風板１０８とで構成され、壁１０１に取り付けられた時、本体１０７の上方部となる箇所に整流手段１０９を設けている。また、本体１０７のフランジ１１１では、つまみねじ１１０でダクト接続部１０４と本体１０７とを締め付け取り外しできるように固定している。さらに、本体１０７のダクト接続部１０４の取付部１０５側の面にはステンレス網あるいは菱形形状金網で作られた防虫網１１２がスポット溶接されている。ダクト接続部１０４の室内側の端面側には通風口１１３の内面に突っ張って抜けないようにする抜け止め金具１１４が設けられた構成となっている。
【特許文献１】特開平１１−１３２５１３号公報（段落０００８、００１２、００１３、００１８および図４、８）
【発明の開示】
【発明が解決しようとする課題】
【０００５】
特許文献１に記載された換気用ベントキャップは、建物の壁１０１に設置する手順として、通常、通風口１１３にダクト接続部１０４を差込むと、抜け止め金具１１４で壁１０１に固定される。さらに、降雨時に、雨が本体１０７と壁１０１との間に入らないように、本体１０７と壁１０１とで直角をなす部分にコーキング材１１５を充填して、本体１０７と壁１０１との水密性を保つ。このコーキング処理は、換気用ベントキャップの設置工事をする際に現場で必ず行う処理であり、この処理をしないと、雨が降ったとき、本体１０７と壁１０１との隙間に雨水が侵入して、通風口１１３に雨水が回り込み、室内１０２に雨水が入り込むという事態が起こってしまうからである。
【０００６】
換気用ベントキャップの設置後、換気をすると、取付部１０５の開口から排出される排気風は、開口の正面にある防風板１０８に当り、防風板１０８と本体１０７の間から上下左右に排出される。また、長期間の換気によって防虫網１１２が汚れてきて防虫網１１２を清掃する場合には、本体１０７とダクト接続部１０４とを固定しているつまみねじ１１０を緩めて外し、本体１０７と一体となった防虫網１１２を清掃するが、本体１０７を外す際には、コーキング材１１５を剥がさなければならない。コーキング材１１５を壁１０１と本体１０７とから剥がす作業は専門的な技術を必要とするので、一般ユーザーが行うには困難である。また、防虫網１１２を清掃した後、再度、本体１０７を壁１０１に設置し、本体１０７と壁１０１との水密性を保つためにコーキング材１１５を充填するコーキング処理は、やはり専門的な技術を要するため一般ユーザが行うには困難である。
【０００７】
このため、特許文献１に記載された従来の換気用ベントキャップでは、一般ユーザーは、防虫網１１２の清掃をするために本体１０７を壁１０１から外したり再度取り付けるのに、専門業者にコーキング処理の作業を依頼する必要があり、一般ユーザーだけで防虫網１１２の一連の清掃作業をするということは困難である、という課題がった。
【０００８】
本発明は、このような従来の課題を解決するものであり、換気用ベントキャップの設置時に水密性を保つために施工するコーキング材を剥がすことなく、除塵用の網が着脱でき、容易に網の清掃ができる換気用ベントキャップを提供することを目的とする。
【課題を解決するための手段】
【０００９】
本発明の換気用ベントキャップは、上記目的を達成するために、建物の外壁内に設けられて室内側と室外側を連通するダクト内に嵌挿される本体筒部と、前記本体筒部の室外側端部から室外側に突出させてなる円筒状のカラー部と、前記カラー部の内側に設けられ、前記本体筒部の室外側開口部に連通する開口を有したベースと、前記ベースに支持部材を介して室外に設けられる遮蔽部とを備えた換気用ベントキャップであって、前記ベースと前記支持部材と前記遮蔽部とをユニット化して遮蔽ユニットを構成し、前記遮蔽ユニットを前記カラー部に着脱自在に設け、かつ、前記ベースに網が着脱自在に設けられたものである。
【００１０】
また、他の手段は、本体筒部に壁固定用の穴を設けたものである。
【００１１】
また、他の手段は、壁固定用の穴を半抜き穴としたものである。
【００１２】
また、他の手段は、カラー部に、その室外側端部に開口し内部で曲折した略Ｌ字状の係合溝を設け、ベースの外周部に、前記係合溝に係合して挿脱自在な係合突起を設けたものである。
【００１３】
また、他の手段は、カラー部の内周部に雌ねじが加工され、ベースの外周部に前記カラー部の雌ねじに螺合する雄ねじが加工されたものである。
【００１４】
また、他の手段は、カラー部に角穴を設け、ベースの外周部に弾性体からなり、前記角穴に係合する板爪が設けられたものである。
【００１５】
また、他の手段は、ベースの室内側裏面に回動自在な挟み板を設け、前記挟み板と前記ベースの室内側裏面との間に網を着脱自在に挟持する構成としたものである。
【００１６】
また、他の手段は、ベースに室内側に切り起こした上下一対の切り起し部を設け、前記切り起し部と前記ベースの室内側裏面との間に網を着脱自在に挟持する構成としたものである。
【００１７】
また、他の手段は、ベースの室内側裏面にリング状の凹部を設け、ゴム製のモールを、樹脂製の網の外周部を挟み込むようにして前記凹部に嵌めこみ、前記網を前記ベースに着脱自在に固定する構成としたものである。
【００１８】
また、他の手段は、ベースの室内側裏面にリング状の凹部を設けるとともに、樹脂製でリング状の固定具を有し、前記固定具は、その室内側端部に鍔部を備えた網固定用蓋を有し、樹脂製の網の外周部を挟み込んで押さえるようにして前記凹部に嵌めこみ、前記網を前記ベースに着脱自在に固定する構成としたものである。
【発明の効果】
【００１９】
本発明によれば、建物の外壁内に設けられて室内側と室外側を連通するダクト内に嵌挿される本体筒部の室外側端部から室外側に突出させてなる円筒状のカラー部の内側に設けられ、本体筒部の室外側開口部に連通する開口を有したベースと、ベースに支持部材を介して室外に設けられる遮蔽部と、遮蔽部を設けるための支持部材とをユニット化して遮蔽ユニットを構成し、遮蔽ユニットをカラー部に着脱自在に設け、かつ、遮蔽ユニットを構成するベースに網が着脱自在に設けられたことにより、網の清掃の際、コーキング材を剥がさないで、本体筒部から網を取り外すことができるので、コーキング技術のない一般ユーザでも網のメンテナンスができる、という効果のある換気用ベントキャップを提供することができる。
【００２０】
また、本体筒部に壁固定用の穴を設けたことにより、本体筒部をダクトに挿入するだけでは保持できない場合に、本体筒部に有した穴を用いて壁にねじ固定し、壁に強固な固定ができることとなる。
【００２１】
また、壁固定用の穴を半抜き穴としたことにより、壁固定用の穴を使用して壁へのねじ固定する手段、壁にねじ固定をしない手段の両方を施工者が選択でき、壁固定用の穴を使用しないときに、不要な穴が存在するのをなくすことができる。
【００２２】
また、カラー部に、その室外側端部に開口し内部で曲折した略Ｌ字状の係合溝を設け、ベースの外周部に、前記係合溝に係合して挿脱自在な係合突起を設けたことにより、工具を用いないで遮蔽ユニットを着脱することができるので、専門業者だけでなく一般ユーザーでも、簡単に網を着脱して掃除をすることができる。
【００２３】
また、カラー部の内周部に雌ねじが加工され、ベースの外周部にカラー部の雌ねじに螺合する雄ねじが加工されたことにより、工具を用いないで遮蔽ユニットを着脱することができるので、専門業者だけでなく一般ユーザーでも、簡単に網を着脱して掃除をすることができる。
【００２４】
また、カラー部に角穴を設け、ベースの外周部に弾性体からなり、前記角穴に係合する板爪が設けられたことにより、工具を用いないで遮蔽ユニットを着脱することができるので、専門業者だけでなく一般ユーザーでも、簡単に網を着脱して掃除をすることができる。
【００２５】
また、ベースの室内側裏面に回動自在な挟み板を設け、挟み板とベースの室内側裏面との間に網を着脱自在に挟持する構成としたことにより、工具を用いないで網を着脱することができるので、専門業者だけでなく一般ユーザーでも、さらに簡単に網を着脱し掃除することができる。
【００２６】
また、ベースに室内側に切り起こした上下一対の切り起し部を設け、切り起し部とベースの室内側裏面との間に網を着脱自在に挟持する構成としたことにより、網を、工具を用いないで手で挟み込んだり引くだけで着脱することができるので、専門業者だけでなく一般ユーザーでも、いっそう簡単に網を掃除でき、また、網固定用に別部品を必要としないため商品を安価に提供できる。
【００２７】
また、ベースの室内側裏面にリング状の凹部を設け、ゴム製のモールを、樹脂製の網の外周部を挟み込むようにして凹部に嵌めこみ、網をベースに着脱自在に固定する構成としたことにより、網の着脱が容易に行え、また、網を樹脂製とすることで、市販のたとえば網戸用の網を使用できるので、網を掃除することなく、使い捨てでの網の交換もできる。
【００２８】
また、ベースの室内側裏面にリング状の凹部を設けるとともに、樹脂製でリング状の固定具を有し、前記固定具は、その室内側端部に鍔部を備えた網固定用蓋を有し、樹脂製の網の外周部を挟み込んで押さえるようにして前記凹部に嵌めこみ、網を前記ベースに着脱自在に固定する構成としたことにより、網の着脱が容易に行え、また、網を樹脂製とすることで、市販のたとえば網戸用の網を使用できるので、網を掃除することなく、使い捨てで網の交換もできる。
【発明を実施するための最良の形態】
【００２９】
本発明の請求項１記載の換気用ベントキャップは、建物の外壁内に設けられて室内側と室外側を連通するダクト内に嵌挿される本体筒部の室外側端部から室外側に突出させてなる円筒状のカラー部の内側に設けられ、前記本体筒部の室外側開口部に連通する開口を有したベースと、前記ベースに支持部材を介して室外に設けられる遮蔽部と、前記遮蔽部を設けるための支持部材とをユニット化して遮蔽ユニットを構成し、前記遮蔽ユニットを前記カラー部に着脱自在に設け、かつ、前記遮蔽ユニットを構成する前記ベースに網が着脱自在に設けられたものであり、網が換気によって目詰まりした際には、カラー部から遮蔽ユニットを取り外し、ベースに固定されている網を外すことで、網の掃除が容易かつ十分にでき、その際、換気用ベントキャップの水密性を保つために施工したコーキング材を剥がすことなく網を取り外すことができる、という作用を有する。
【００３０】
また、請求項２記載の換気用ベントキャップは、本体筒部に壁固定用の穴を設けたものであり、本体筒部をダクト内に挿入するだけでは保持できない場合に、壁へのねじ固定という強固な固定ができる。
【００３１】
また、請求項３記載の換気用ベントキャップは、壁固定用の穴を半抜き穴としたものであり、壁固定用の穴を使用して壁へのねじ固定する手段、壁にねじ固定をしない手段の両方を施工者が選択できる。
【００３２】
また、請求項４記載の換気用ベントキャップは、カラー部に、その室外側端部に開口し内部で曲折した略Ｌ字状の係合溝を設け、ベースの外周部に、前記係合溝に係合して挿脱自在な係合突起を設けたものであり、網が目詰まりした際には、遮蔽ユニットを回して手前に引くだけで、遮蔽ユニットを取り外すことができ、網の掃除が終わった後は、遮蔽ユニットを逆に動かすことによって取り付けることができ、遮蔽ユニットを工具を用いないで着脱することができる。
【００３３】
また、請求項５記載の換気用ベントキャップは、カラー部の内周部に雌ねじが加工され、ベースの外周部に前記カラー部の雌ねじに螺合する雄ねじが加工されたものであり、網が目詰まりした際には、遮蔽ユニットを回すことによって、遮蔽ユニットを工具を用いないで着脱することができる。
【００３４】
また、請求項６記載の換気用ベントキャップは、カラー部に角穴を設け、ベースの外周部に弾性体からなり、前記角穴に係合する板爪が設けられたものであり、網が目詰まりした際には、遮蔽部ユニットを本体筒部に対して引いたり、押し付ける操作によって、カラー部の角穴とベースの板爪を係脱し、遮蔽ユニットを工具を用いないで着脱することができる。
【００３５】
また、請求項７記載の換気用ベントキャップは、ベースの室内側裏面に回動自在な挟み板を設け、前記挟み板と前記ベースの室内側裏面との間に網を着脱自在に挟持する構成としたものであり、挟み板を回動させることで、網が工具なしでベースに対し容易に着脱できる。
【００３６】
また、請求項８記載の換気用ベントキャップは、ベースに室内側に切り起こした上下一対の切り起し部を設け、前記切り起し部と前記ベースの室内側裏面との間に網を着脱自在に挟持する構成としたものであり、網をベースから外す場合は、網を左右方向に引くことでベースから外すことができ、網をベースに取り付ける場合は、網を一対の切り起こし部に挟み込んで保持し、網がベースに対し工具なしで容易に着脱でき、また網固定のために別部品を必要としないため商品を安価に提供できる。
【００３７】
また、請求項９記載の換気用ベントキャップは、ベースの室内側裏面にリング状の凹部を設け、ゴム製のモールを、樹脂製の網の外周部を挟み込むようにして前記凹部に嵌めこみ、前記網を前記ベースに着脱自在に固定する構成としたものであり、網を取り外す際には、モールを凹部から抜くことで、網が容易に外せる。また、樹脂製の網は、市販のたとえば網戸用の網を円形にカットして使用することで、市販の網を使用することができ、使い捨てでの網の交換もできる。
【００３８】
また、請求項１０記載の換気用ベントキャップは、ベースの室内側裏面にリング状の凹部を設けるとともに、樹脂製でリング状の固定具を有し、前記固定具は、その室内側端部に鍔部を備えた網固定用蓋を有し、樹脂製の網の外周部を挟み込んで押さえるようにして前記凹部に嵌めこみ、前記網を前記ベースに着脱自在に固定する構成としたものであり、網を取り外す際には、固定具をベースの凹部から外すことで、網が容易に外せる。また、樹脂製の網は、たとえば市販の網戸用の網を円形にカットして使用することで、市販の網を使用することができ、使い捨てでの網の交換もできる。
【００３９】
以下、本発明の実施の形態について、図１〜図１６を参照しながら説明する。
【００４０】
（実施の形態１）
図１〜図３に示すように、本発明の実施の形態１の換気用ベントキャップ１３は、建物の外壁１内に設けられて室内２側と室外３側を連通するダクト４内に嵌挿される本体筒部５と、本体筒部５の室外側端部６から室外３側に突出させてなる円筒状のカラー部７と、カラー部７の内側に設けられ、本体筒部５の室外側開口部８に連通する開口部９を有したベース１０と、ベース１０に支持部材１１を介して室外３に設けられる遮蔽部１２とを備えた換気用ベントキャップ１３であって、ベース１０と支持部材１１と遮蔽部１２とをユニット化して遮蔽ユニット１４を構成し、遮蔽ユニット１４をカラー部７に着脱自在に設け、かつ、ベース１０に網１５が着脱自在に設けられた構成としている。
【００４１】
そして、本体筒部５の外周にはばね性を有した抜け止め金具１６が固着され、カラー部７の外周には、遮蔽ユニット１４を構成するベース１０を固定するためのねじ１７を通す挿通穴１８が設けられ、ベース１０の外周には、ねじ１７と螺合する雌ねじ３５を有し、さらに、網１５はベース１０に、網固定ねじ２０によって着脱自在に取り付けられている。
【００４２】
上記構成において、換気用ベントキャップ１３を外壁１に設置する場合、ダクト４に本体筒部５を差し込むと、本体筒部５の外周に固着された抜け止め金具１６がダクト４との間に挟まり、換気用ベントキャップ１３が抜け止め金具１６の弾性力によって、外壁１に抜け止め状態で保持される。そして、降雨時に雨が換気用ベントキャップ１３と外壁１との間に侵入しないように、カラー部７の外周と外壁１とで直角をなす部分にコーキング材２１を充填して、換気用ベントキャップ１３と外壁１との水密性を保つ。
【００４３】
そして、長期間の使用によって網１５が目詰まりの状態になった際には、ねじ１７を外し、遮蔽ユニット１４を本体筒部５のカラー部７から反外壁１側に抜くことで、遮蔽ユニット１４を外壁１から取り外すことができる。また、遮蔽ユニット１４の網固定ねじ２０を緩めて外すことにより、網１５をベース１０から取り外すことができる。長期間の使用によって目詰まりしている網１５は、水等に漬けておいたり、ブラシや掃除機等で付着した埃等を除去することで、清掃ができる。清掃した網１５は、再度、ベース１０に網固定ねじ２０を螺合して固定する。網１５をベース１０に固定した遮蔽ユニット１４をカラー部７の内側に挿入し、ねじ１７を挿通穴１８に通し、本体筒部５と遮蔽ユニット１４を再度固定する。この作業において、網１５を外すために、外壁１からコーキング２１材が充填されている本体筒部５を外すことなしに、遮蔽ユニット１４だけを外壁１から外すことができるので、コーキング材２１を剥がすことなく、網１５を清掃することができる。
【００４４】
このように、網１５が換気によって目詰まりした際には、本体筒部５から遮蔽ユニット１４を取り外し、ベース１０に固定されている網１５を外すことで、網１５の掃除が容易かつ十分にでき、その際、換気用ベントキャップ１３の水密用として施工されたコーキング材２１を剥がすことなく網１５を取り外すことができるため、コーキング技術のない一般ユーザーでも網１５のメンテナンスができることとなる。
【００４５】
（実施の形態２）
図４に示すように、本発明の実施の形態２の換気用ベントキャップ１３Ａは、上記実施の形態１の換気用ベントキャップ１３に対し、本体筒部５Ａの室外側開口部８の周縁２２に壁固定用の穴２３を設けた点に特徴がある。
【００４６】
ところで、外壁１に換気用ベントキャップ１３Ａを設置するとき、外壁１に施工されたダクト４に本体筒部５Ａを差し込むと、本体筒部５Ａの外周に固着したばね性を有する抜け止め金具１６で固定されることとなるが、市販のダクトはその内径が種々あって、規定の内径より大きいものがあり、抜け止め金具１６で保持できない場合もある。また、ダクトには蛇腹形状の、たとえばアルミ製フレキシブルダクトもあり、この種のダクトでは、抜け止め金具１６の弾性力が有効に機能しない場合があり、抜け止め金具１６で本体筒部５Ａを外壁１に確実に固定することができない場合がある。
【００４７】
上記構成の換気用ベントキャップ１３Ａは、このようなダクトを使用する場合に、あらかじめ、本体筒部５Ａと遮蔽ユニット１４とを固定しているねじ１７を外して、遮蔽ユニット１４を本体筒部５Ａから外し、本体筒部５Ａをダクト４に差込み、本体筒部５Ａの室外側開口部８の周縁２２に設けた穴２３に外壁固定用の木ねじ２４を打ち込み、本体筒部５Ａを木ねじ２４で外壁１に確実に固定する。そして、本体筒部５Ａのカラー部７の内側に遮蔽ユニット１４を挿入し、ねじ１７で本体筒部５Ａに固定する。さらに、カラー部７の外周と外壁１とで直角をなす部分にコーキング材２１を充填し、換気用ベントキャップ１３Ａと外壁１との水密性を確保し、設置の施工が完了する。
【００４８】
このように、ダクト４の内径が規定の内径より大きい場合や、蛇腹形状のダクトを使用する場合で、抜け止め金具１６だけで外壁１に固定できない場合には、本体筒部５Ａに設けた穴２３に木ねじ２４を通して外壁１に強固に固定することができる。
【００４９】
（実施の形態３）
図５に示すように、本発明の実施の形態３の換気用ベントキャップは、上記実施の形態２の換気用ベントキャップ１３Ａにおける壁固定用の穴２３を、半抜き穴２５とした点に特徴がある。
【００５０】
半抜き穴２５は、本体筒部５Ｂの室外側開口部８の周縁２２との繋がり部２６と、この繋がり部２６を除いた円形状の半打ち抜き部２７とを加工してなる丸板２８を有しており、外壁１に換気用ベントキャップを固定するとき、木ねじ２４で強固に外壁１に固定する場合は、丸板２８の部分にドライバー等（図示せず）を当て、ハンマーで叩くことにより、丸板２８が打ち抜かれて、上記実施の形態２の換気用ベントキャップ１３Ａの穴２３と同じ状態となる。
【００５１】
ところで、換気用ベントキャップを設置する施工おいて、換気用ベントキャップを外壁１に取り付ける施工者と、外壁１にダクト４を固定する施工者が別である場合、換気用ベントキャップを取り付ける施工者は、施工現場に行って初めて、外壁１に施工されているダクト４がどのような内径であるか、またダクト４が蛇腹形状であるか否かを知ることになり、換気用ベントキャップが抜け止め金具１６で固定できるか、木ねじ２４で本体筒部５を外壁１に固定する必要があるかを知るということになる。
【００５２】
これに対し、上記構成の換気用ベントキャップでは、施工現場でどのようなダクトが使用されていても対応できることとなる。
【００５３】
すなわち、ダクト４が規定のダクト内径で、抜け止め金具１６だけで換気用ベントキャップが外壁１に固定できる場合は、丸板２８を打ち抜かず、ダクト４に差込み施工する。また、ダクト４が規定のダクト内径より大きい場合や、蛇腹形状の場合には、抜け止め金具１６だけで固定できないので、丸板２８を打ち抜き穴にして、木ねじ２４で換気用ベントキャップを固定する。
【００５４】
このように、本実施の形態３の換気用ベントキャップによれば、壁固定用の穴２３を使用して外壁１に固定する手段、壁に固定をしないで保持する手段の両方を施工者が選択できる。
【００５５】
（実施の形態４）
図６に示すように、本発明の実施の形態４の換気用ベントキャップ１３Ｂは、本体筒部５に設けたカラー部７Ａに、その室外側端部２９に開口し内部で曲折した略Ｌ字状の係合溝３０を設け、遮蔽ユニット１４Ａを構成するベース１０Ａの外周部３１に、係合溝３０に係合して挿脱自在な係合突起３２を設けたものである。
【００５６】
上記構成において、換気用ベントキャップ１３Ｂは長期間使用していると遮蔽ユニット１４Ａに設けている網１５が目詰まりしてくるが、網１５が目詰まりした際には、一般ユーザーは、網１５を備えた遮蔽ユニット１４Ａを略Ｌ字状の係合溝３０の直角部分３３に当接するまで回し、当接したら手前に引くと、遮蔽ユニット１４Ａを取り外すことができる。そして、網１５は取り外した遮蔽ユニット１４Ａから外して掃除することができる。
【００５７】
網１５を掃除した後は、遮蔽ユニット１４Ａを本体筒部５のカラー部７Ａの内側に挿入し、ベース１０Ａの係合突起３２をカラー部７Ａの係合溝３０に沿うように入れ、係合突起３２が略Ｌ字状の係合溝３０の直角部分３３に当接したら、遮蔽ユニット１４Ａを上記の取り外す場合と逆の方向に回すと、係合突起３２が係合溝３０に保持されて遮蔽ユニット１４は本体筒部５に固定される。
【００５８】
このように、本実施の形態４の換気用ベントキャップによれば、長期間の使用によって網１５が目詰まりした場合に、網１５を備えた遮蔽ユニット１４Ａを工具を用いないで取り外すことができるので、一般ユーザーでも目詰まりした網１５を容易に着脱して掃除することができる。
【００５９】
（実施の形態５）
図７に示すように、本発明の実施の形態５の換気用ベントキャップ１３Ｃは、本体筒部５に設けたカラー部７Ｂの内周部３４に雌ねじ３５が加工され、遮蔽ユニット１４Ｂを構成するベース１０Ｂの外周部３１にカラー部７Ｂの雌ねじ３５に螺合する雄ねじ３６が加工されたものである。
【００６０】
上記構成において、換気用ベントキャップ１３Ｃは長期間使用していると遮蔽ユニット１４Ｂに設けている網１５が目詰まりしてくるが、網１５が目詰まりした際には、一般ユーザーは、網１５を備えた遮蔽ユニット１４Ｂを、螺合を緩める方向に回して、遮蔽ユニット１４Ｂを取り外すことができる。そして、網１５は取り外した遮蔽ユニット１４Ｂから外して掃除することができる。
【００６１】
網１５を掃除した後は、遮蔽ユニット１４Ｂのベース１０Ｂの雄ねじ３６を、本体筒部５のカラー部７Ｂの雌ねじ３５に螺合させて上記の取り外す場合と逆の方向に回すと、ベース１０Ｂがカラー部７Ｂに螺合保持されて遮蔽ユニット１４Ｂは本体筒部５に固定される。
【００６２】
このように、本実施の形態５の換気用ベントキャップ１３Ｃによれば、長期間の使用によって網１５が目詰まりした場合に、網１５を備えた遮蔽ユニット１４Ｂを工具を用いないで取り外すことができるので、一般ユーザーでも目詰まりした網１５を容易に着脱して掃除することができる。
【００６３】
（実施の形態６）
図８に示すように、本発明の実施の形態６の換気用ベントキャップ１３Ｄは、本体筒部５に設けたカラー部７Ｃに角穴３７を設け、遮蔽ユニット１４Ｃを構成するベース１０Ｃの外周部３１に弾性体からなり、角穴３７に係合する板爪３８が設けられたものである。
【００６４】
上記構成において、換気用ベントキャップ１３Ｄは長期間使用すると遮蔽ユニット１４Ｃに設けている網１５が目詰まりしてくるが、網１５が目詰まりした際には、一般ユーザーは、網１５を備えた遮蔽ユニット１４Ｃを手前に引くと、ベース１０Ｃの板爪３８が弾性変形してカラー部７Ｃの角穴３７から外れ、本体筒部５から遮蔽ユニット１４Ｃを取り外すことができる。そして、網１５は取り外した遮蔽ユニット１４Ｃから外して掃除することができる。
【００６５】
網１５を掃除した後は、遮蔽ユニット１４Ｃを本体筒部５のカラー部７Ｃの内側に挿入し、ベース１０Ｃの板爪３８とカラー部７Ｃの角穴３７が係合するように、遮蔽ユニット１４Ｃを本体筒部５に押し付けるように操作すると、板爪３８と角穴３７が係合し、本体筒部５は遮蔽ユニット１４Ｃに固定される。
【００６６】
このように、本実施の形態５の換気用ベントキャップ１３Ｄによれば、長期間の使用によって網１５が目詰まりした場合に、網１５を備えた遮蔽ユニット１４Ｃを工具を用いないで取り外すことができるので、一般ユーザーでも目詰まりした網１５を容易に着脱して掃除することができる。
【００６７】
（実施の形態７）
図９および図１０に示すように、本発明の実施の形態７の換気用ベントキャップは、ベース１０Ｄの室内側裏面３９に回動自在な挟み板４０を設け、挟み板４０とベース１０Ｄの室内側裏面３９との間に網１５を着脱自在に挟持する構成としたものである。
【００６８】
上記構成において、換気用ベントキャップを長期間使用すると遮蔽ユニット１４Ｄに設けている網１５は目詰まりしてくるが、網１５が目詰まりした際には、一般ユーザーは、遮蔽ユニット１４Ｄを本体筒部５から外し、ベース１０Ｄの室内側裏面３９の挟み板４０を回動させると、網１５はベース１０Ｄから取り外すことができる。長期間の使用によって目詰まりした網１５は、水等に漬けておいたり、ブラシや掃除機等によって網１５に付着した埃等を除去することで、清掃ができる。清掃した網１５は、再度ベース１０Ｄの室内側裏面３９に載せて挟み板４０を回動し、挟み板４０とベース１０Ｄとで挟んでベース１０Ｄに固定できる。
【００６９】
このように、網１５が換気によって目詰まりした際には、本体筒部５から遮蔽ユニット１４Ｄを取り外し、さらに、ベース１０Ｄに固定されている網１５を工具なしで容易に着脱できるので、専門業者だけでなく一般ユーザーでも、簡単に網１５を着脱し掃除することができる。
【００７０】
（実施の形態８）
図１１および図１２に示すように、本発明の実施の形態８の換気用ベントキャップは、ベース１０Ｅの室内側裏面３９に切り起こした上下一対の切り起こし部４１を設け、切り起こし部４１とベース１０Ｅの室内側裏面３９との間に網１５を着脱自在に挟持する構成としたものである。
【００７１】
上記構成において、換気用ベントキャップを長期間使用すると遮蔽ユニット１４Ｅに設けている網１５は目詰まりしてくるが、網１５が目詰まりした際には、一般ユーザーは、遮蔽ユニット１４Ｅを本体筒部５から外し、網１５を左右方向に引くと、網１５は切り起こし部４１から外れ、ベース１０Ｅから外すことができる。そして、一般ユーザーは網１５を清掃することができる。網１５を清掃した後、網１５をベース１０Ｅに取り付ける場合は、網１５の上下を押さえて一対の切り起こし部４１に挟み込んで保持し、網１５をベース１０Ｅに固定することができる。
【００７２】
このように、網１５が換気によって目詰まりした際には、網１５がベース１０Ｅに対し工具なしで容易に着脱できるので、専門業者だけでなく一般ユーザーでも、簡単に網１５を着脱し掃除することができる。
【００７３】
（実施の形態９）
図１３および図１４に示すように、本発明の実施の形態９の換気用ベントキャップは、ベース１０Ｆの室内側裏面３９にリング状の凹部４２を設け、ゴム製のモール４３を、樹脂製の網１５Ａの外周部４４を挟み込むようにして、凹部４２に嵌めこみ、網１５Ａをベース１０Ｆに着脱自在に固定する構成としたものである。
【００７４】
上記構成において、換気用ベントキャップを長期間使用すると遮蔽ユニット１４Ｆに設けている網１５Ａは目詰まりしてくるが、網１５Ａが目詰まりした際には、一般ユーザーは、遮蔽ユニット１４Ｆを本体筒部５から外し、ベース１０Ｆの凹部４２からモール４３を外せば、網１５Ａをベース１０Ｆから外すことができる。そして、一般ユーザーは網１５Ａを清掃することができる。また、網１５Ａは樹脂製の網であり、例えば、住宅の窓に嵌めている網戸に張設されている市販の網としてもよい。一般ユーザーは、網１５Ａを清掃し再度使うこともできるが、目詰まりして、清掃しても埃等が取れない場合には、市販の網戸用の網を購入し、購入した網を円形にカットして、ベース１０Ｆの中央に載せ、モール４３を凹部４２に嵌め込みむことで、網１５Ａをベース１０Ｆに新たに固定することができる。
【００７５】
このように、本実施の形態９の換気用ベントキャップによれば、網１５Ａをベース１０Ｆに対し工具なしで容易に着脱できるので、専門業者だけでなく一般ユーザーでも、簡単に網１５Ａを着脱し掃除することができる。また、網１５Ａは市販のたとえは網戸用の網等を使用することによって、網１５Ａを掃除することなく、使い捨てで網１５Ａの交換もできる。
【００７６】
（実施の形態１０）
図１５および図１６に示すように、本発明の実施の形態１０の換気用ベントキャップは、遮蔽ユニット１４Ｇを構成するベース１０Ｇの室内側裏面３９にリング状の凹部４２Ａを設けるとともに、樹脂製でリング状の固定具４５を備えている。
【００７７】
固定具４５には、室内側端部に鍔部４６を有した網固定用蓋４７と、外周側部に突起４８を有しており、ベース１０Ｇの凹部４２Ａには、固定具４５の突起４８が嵌合する溝４９を設けている。そして、固定具４５を、樹脂製の網１５Ａの外周部４４を挟み込むようにして、凹部４２Ａに嵌めこむと、凹部４２Ａの溝４９に固定具４５の突起４９が嵌り込んで、網１５Ａがベース１０Ｇに固定される。
【００７８】
上記構成において、換気用ベントキャップを長期間使用すると遮蔽ユニット１４Ｇに設けている網１５Ａは目詰まりしてくるが、網１５Ａが目詰まりした際には、一般ユーザーは、遮蔽ユニット１４Ｇを本体筒部５から外し、ベース１０Ｇから固定具４５を引き抜く操作をすると、固定具４５は樹脂製であるため、ある程度の弾性力を有しており、突起４８が溝４９から外れるように部分的に変形を起こして、溝４９から突起４８が外れ、ベース１０Ｇから固定具４５が外れて、網固定用蓋４７によって押さえ込まれていた網１５Ａは、ベース１０Ｇから外せることとなる。また、凹部４２Ａの溝４９に固定具４５の突起４９が嵌合しているので、網１５Ａを換気用ベントキャップから外すときに、固定具４５を外す（ベース１０Ｇから引き抜く）操作をしなければ、網１５Ａは容易に外れない構造となっており、本体筒部５から遮蔽ユニット１４Ｇを外しただけで網１５Ａが外れてしまうのを防止できる。換気用ベントキャップはマンション等の高所に設置される場合もあり、網１５Ａを掃除するとき、遮蔽ユニット１４Ｇを本体筒部５から外した際に、網１５Ａが吹き付ける外風によってベース１０Ｇから外れて落下すると非常に危険であり、このような落下防止の意義は大きい。また、網１５Ａは樹脂製の網であり、例えば、住宅の窓に嵌める網戸に張設されている市販の網としてもよい。この場合、一般ユーザーは、網１５Ａを清掃し再度使うこともできるが、目詰まりし清掃しても埃等が取れない場合には、市販の網戸用の網を購入し、購入した網を円形にカットしてベース１０Ｇの中央に載せ、固定具４５をベース１０Ｇの凹部４２Ａに押し込むことで、網１５Ａをベース１０Ｇに新たに固定することができる。
【００７９】
このように、本実施の形態１０のベントキャップによれば、網１５Ａをベース１０Ｇに対し工具なしで容易に着脱できるので、専門業者だけでなく一般ユーザーでも、簡単に網１５Ａを着脱し掃除することができる。また、網１５Ａは市販の例えば網戸用の網等を使用することによって、網１５Ａを掃除することなく、使い捨てで網の交換もできる。さらに、遮蔽ユニット１４Ｇを外したとき、吹き付ける外風等によって網１５Ａが外れて落下するのを防止できる。
【産業上の利用可能性】
【００８０】
本発明に係る換気用ベントキャップは、その設置時に水密用として施工するコーキングを剥がすことなく、除塵用の網を着脱して容易に網の掃除ができる効果を有し、建物の外壁に設置される換気用ベントキャップとして有用である。
【図面の簡単な説明】
【００８１】
【図１】本発明の実施の形態１の換気用ベントキャップを示す設置時断面図
【図２】同換気用ベントキャップの遮蔽ユニットの断面図
【図３】同換気用ベントキャップの斜視図
【図４】本発明の実施の形態２の換気用ベントキャップの設置状況を示す斜視図
【図５】本発明の実施の形態３の換気用ベントキャップの本体筒部を示す正面図
【図６】本発明の実施の形態４の換気用ベントキャップを示す斜視図
【図７】本発明の実施の形態５の換気用ベントキャップを示す斜視図
【図８】本発明の実施の形態６の換気用ベントキャップを示す斜視図
【図９】本発明の実施の形態７の換気用ベントキャップの遮蔽ユニットを示す断面図
【図１０】同遮蔽ユニットの裏面図
【図１１】本発明の実施の形態８の換気用ベントキャップの遮蔽ユニットを示す断面図
【図１２】同遮蔽ユニットの裏面図
【図１３】本発明の実施の形態９の換気用ベントキャップの遮蔽ユニットにおける網取付け状況を示す断面図
【図１４】同遮蔽ユニットの網取付け時の断面図
【図１５】本発明の実施の形態１０の換気用ベントキャップの遮蔽ユニットにおける網取付け状況を示す断面図
【図１６】同遮蔽ユニットの網取付け時の断面図
【図１７】従来の換気用ベントキャップの設置時断面図
【図１８】同換気用ベントキャップの正面図
【符号の説明】
【００８２】
１      外壁
２      室内
３      室外
４      ダクト
５      本体筒部
５Ａ    本体筒部
６      室外側端部
７      カラー部
７Ａ    カラー部
７Ｂ    カラー部
７Ｃ    カラー部
８      室外側開口部
９      開口部
１０    ベース
１０Ａ  ベース
１０Ｂ  ベース
１０Ｃ  ベース
１０Ｄ  ベース
１０Ｅ  ベース
１０Ｆ  ベース
１０Ｇ  ベース
１１    支持部材
１２    遮蔽部
１３    換気用ベントキャップ
１４    遮蔽ユニット
１５    網
１５Ａ  網
２３    穴
２５    半抜き穴
２９    室外側端部
３０    係合溝
３１    外周部
３２    係合突起
３４    内周部
３５    雌ねじ
３６    雄ねじ
３７    角穴
３８    板爪
３９    室内側裏面
４０    挟み板
４１    切り起こし部
４２    凹部
４２Ａ  凹部
４３    モール
４４    外周部
４５    固定具
４６    鍔部
４７    網固定用蓋
【図１】
2009264624.tif 000003
【図２】
2009264624.tif 000004
【図３】
2009264624.tif 000005
【図４】
2009264624.tif 000006
【図５】
2009264624.tif 000007
【図６】
2009264624.tif 000008
【図７】
2009264624.tif 000009
【図８】
2009264624.tif 000010
【図９】
2009264624.tif 000011
【図１０】
2009264624.tif 000012
【図１１】
2009264624.tif 000013
【図１２】
2009264624.tif 000014
【図１３】
2009264624.tif 000015
【図１４】
2009264624.tif 000016
【図１５】
2009264624.tif 000017
【図１６】
2009264624.tif 000018
【図１７】
2009264624.tif 000019
【図１８】
2009264624.tif 000020